(57)【要約】  本発明は、自動洗浄システム及び方法に関し、セラミック衛生陶器１の使用に続いて、汚染度が検出されること、及び、汚染度に応じて洗浄が自動的に実行されること、を可能にする。より詳細には、本発明は、自動洗浄システム及び方法に関し、可能であるのは、セラミック衛生陶器１内、及び／又は、セラミック衛生陶器１を廃水設備に接続する接続部片内の液体の汚染度を検出すること、そして、その上、無線信号の使用によって液体内の異物を検出すること、であり、洗浄は、検出された汚染度に応じて、必要な量の液体で自動的に実行される。【選択図】図６
2021529273.tif 000002
【特許請求の範囲】
【請求項１】
セラミック衛生陶器（１）の使用に続いて、汚染度が検出されること、及び、洗浄が自動的に実行されること、を可能にする自動洗浄システムであって、
少なくとも１つの汚染検出部材（３）を含み、少なくとも１つの汚染検出部材（３）は、受信機又は送信機或いはトランシーバであり、前記セラミック衛生陶器（１）が廃水設備に接続されるのを可能にするエルボ構造（２）の壁に面する様式で位置決めされており、液体の前記汚染度を無線信号で検出するのを可能にする、ことを特徴とする、自動洗浄システム。
【請求項２】
前記汚染検出部材（３）は、受信機及び送信機或いはトランシーバであり、
前記受信機及び送信機或いはトランシーバは、無線信号を送信することが可能であり、反射信号をキャッチすることが可能であり、
前記信号が、前記汚染度を検出する目的で、前記エルボ構造（２）を通過し、前記エルボ構造（２）内の前記液体を通過する、ことを特徴とする、請求項１に記載の自動洗浄システム。
【請求項３】
前記汚染を検出する目的で、無線信号を送信することが可能である少なくとも１つの第１のトランシーバ又は送信機と、
前記無線信号をキャッチすることが可能である少なくとも１つの第２のトランシーバ又は受信機と、を含み、
前記無線信号は、前記第１のトランシーバ又は送信機によって送信され、前記エルボ構造（２）及び前記エルボ構造（２）内の前記液体を通過する、ことを特徴とする、請求項１に記載の自動洗浄システム。
【請求項４】
少なくとも１つの主処理ユニットを含み、少なくとも１つの主処理ユニットは、
前記送信機又はトランシーバによって送信されるべき前記信号を決定し、
前記受信機又はトランシーバによる受信信号を記録し、
送信信号及び受信信号間の差異に基づいて汚染度を決定する、ことを特徴とする、請求項１に記載の自動洗浄システム。
【請求項５】
前記主処理ユニットは、好ましくは、振幅及び位相の形式で、前記トランシーバ或いは送信機又は受信機によって送信及び受信された前記信号を記録する主処理ユニットである、ことを特徴とする、請求項４に記載の自動洗浄システム。
【請求項６】
前記主処理ユニットは、検出された汚染度に基づいて必要な量の液体で洗浄が実行されるのを可能にする主処理ユニットである、ことを特徴とする、請求項４に記載の自動洗浄システム。
【請求項７】
少なくとも１つのセンサを含み、前記少なくとも１つのセンサは、前記セラミック衛生陶器（１）の使用が終了したこと、及び／又は、使用者が前記セラミック衛生陶器（１）に近づいたこと、を検出するのを可能にする、ことを特徴とする、請求項１に記載の自動洗浄システム。
【請求項８】
前記センサは、光センサ、振動を検出するセンサ、又は、音を検出するセンサである、ことを特徴とする、請求項７に記載の自動洗浄システム。
【請求項９】
前記汚染検出部材（３）は、１ｋＨｚ〜６ＧＨｚの帯域範囲で動作する、ことを特徴とする、請求項１に記載の自動洗浄システム。
【請求項１０】
前記汚染検出部材（３）は、６ＧＨｚ〜１８ＧＨｚの帯域範囲で動作する、ことを特徴とする、請求項１に記載の自動洗浄システム。
【請求項１１】
前記汚染検出部材（３）は、１８ＧＨｚ〜４０ＧＨｚの帯域範囲で動作する、ことを特徴とする、請求項１に記載の自動洗浄システム。
【請求項１２】
前記汚染検出部材（３）は、４０ＧＨｚ〜１００ＧＨｚの帯域範囲で動作する、ことを特徴とする、請求項１に記載の自動洗浄システム。
【請求項１３】
セラミック衛生陶器（１）の使用に続いて、汚染度が検出されること、及び、洗浄が自動的に実行されること、を可能にする自動洗浄方法であって、
無線信号を、或る間隔で、汚染検出部材（３）によって、エルボ構造（２）内の液体に、送信して、前記送信された信号を、用途に応じて、同じ前記汚染検出部材（３）又は別の汚染検出部材（３）によって、受信するステップと、
前記受信された信号を、主処理ユニットで画定された参照値と比較して、汚染度を、前記比較の結果として決定するステップと、
前記汚染度に応じて事前定義された量の液体で、洗浄プロセスを実行するステップと、を含むことを特徴とする、自動洗浄方法。
【請求項１４】
使用者が前記セラミック衛生陶器（１）に近づいたことが検出される場合、前記エルボ構造（２）内の前記液体の汚染度は、測定されて記録され、前記汚染度は、初期の測定値に対する使用後の汚染度の比較の結果として決定される、ことを特徴とする、請求項１３に記載の自動洗浄方法。
【請求項１５】
前記セラミック衛生陶器（１）の使用が終了したことが検出される場合、及び、洗浄プロセスが必要とされる場合、洗浄は、前記使用の終了から或る遅れをもって実行される、ことを特徴とする、請求項１３に記載の自動洗浄方法。
【請求項１６】
前記セラミック衛生陶器（１）それぞれへの自動洗浄システムの設置が完了した後に、洗浄を手動で実行することを可能にし、
いったん前記セラミック衛生陶器（１）が清浄化されたのが確認されると、それぞれのステータスを清浄として、前記主処理ユニットで定義することを可能にし、
前記セラミック衛生陶器（１）が使用された後に、前記それぞれのステータスを汚染として、前記主処理ユニットで定義することを可能にし、
これらの参照値に従って、後続の使用のために、前記洗浄プロセスを実行することを可能にする、較正機能を含む、ことを特徴とする、請求項１３に記載の自動洗浄方法。
【請求項１７】
前記使用の前及び前記使用の後の前記汚染度は、記録され、
前記使用の前及び前記使用の後の前記汚染度は、別個に平均化され、
清浄水の前記参照値と汚染水の前記参照値とは、これらの平均値に基づいて前記システムによって自動的に設定される、ことを特徴とする、請求項１３に記載の自動洗浄方法。
【請求項１８】
汚染度が、前記洗浄プロセスを実行したにもかかわらず、何らかの理由で、所望の値を超える場合、
主処理ユニットで定義されたような最大回数の洗浄試行は、実行され、
次いで、前記自動洗浄システムは、スタンバイ状態に切り替わる、ことを特徴とする、請求項１３に記載の自動洗浄方法。
【請求項１９】
前記エルボ構造（２）内の前記液体が、前記事前定義されたレベルより下落した場合、前記洗浄プロセスは、実行され、前記液体面は、所望の最小値に到達するのを可能にされる、ことを特徴とする、請求項１３に記載の自動洗浄方法。
【発明の詳細な説明】
【技術分野】
【０００１】
本発明は、自動洗浄システム及び方法に関し、セラミック衛生陶器の使用に続いて、汚染度が検出されること、及び、汚染度に応じて洗浄が自動的に実行されること、を可能にする。
【背景技術】
【０００２】
セラミック衛生陶器は、バスルームやトイレ内の個人的な清浄化の目的のために、また、様々な物や食品をキッチン内で洗う目的のために、主として使用される。清浄化や洗う間に使用される水は、システムから排出される必要がある。こうした理由で、セラミック衛生陶器は、様々な接続部材を介して廃水設備に接続される。廃水が廃水設備によって搬送されるという理由で、悪臭は、必要な措置が取られない場合、設備から環境に浸透することがある。Ｓ管は、殆どの場合、この状況を防止する目的で、使用される。Ｓ管のおかげで、幾らかの量の水は、毎回システムに残存し、この水は、環境への廃水設備内の悪臭の拡散を防止するために廃水設備及び環境間にバリアを形成する。
【０００３】
Ｓ管内部に蓄積する水は、廃水設備の悪臭が環境に浸透するのを防止するが、上記蓄積した水自体は、それが汚染された場合に、環境への悪臭の浸透をもたらすことがある。特に、便器やトイレでは、この水は、使用後に汚染され、必要なことは、汚染水及び同内部の廃物の両方をＳ管から除去する目的及びＳ管を清浄水で満たす目的で、使用後に洗浄システムを活動化させることである。既存のシステムでは、上記洗浄プロセスは、殆どの場合、使用後の使用者によって手動でトリガされ、洗浄作用は、斯くして可能にされる。
【０００４】
進歩する技術によって、様々な研究は、洗浄システムを自動化することを意図して実施されてきた。そういった研究では、環境内の使用者の存在は、様々な構造を備えたセンサによって検出され、洗浄は、使用者が指定エリアを離れたときに自動的に開始する。近接センサが採用され、センサが使用者を検出し、使用者が離れると洗浄システムが活動化されるという適用例は、しばしば採用される。そういったシステムでは、使用者の検出は、トイレが実際に使用されているか否かに関係なく、洗浄システムをトリガするのに十分なデータとみなされる。これは、洗浄システムが活動化するのを、それが必要でないときでさえ、引き起こし、斯くして、不必要な水の消費を起こさせる。
【０００５】
研究が行われてきたシステムは、そういった不所望の水の消費を防止する目的で、使用者ではなく使用をモニタする。意図されてきたのは、この目的のために実施された幾つかの研究では、様々な光センサによって使用を検出することであり、その一方、幾つかの他の研究は、水の視感透過率の検出と、光センサの助けによる再び水の中の固形物の検出と、を目標にしている。
【０００６】
文献、米国特許出願公開第２０１６／０８３９４９号は、光受信機及び送信機で構成されるシステムについて説明しており、光送信機によって送信された光信号は、受信機によって受信され、水が汚染されているか否かは、損失に応じて決定される。上記文献では、光受信機および送信機は、互いに見ることができ、しかも、送達された光信号が受信機に到達するためにＳ管内の水を通過するように、トイレ本体上に相互に配設される。こんな具合に、可能にされるのは、便器内の水と水中の固形物の汚染度を検出すること、及び、斯くして洗浄プロセスを自動的に実行すること、である。このシステムの別の利点は、上記システムが水の汚染度に応じて洗浄に必要な量の水で洗浄を実行するという事実のおかげで、それが水の不必要な消費を防ぐことである。このシステムの主たる不都合は、上記光センサをトイレ本体上に、便器の内部を見ることができる様式で、配置するプロセスが困難であり、斯くして、上記プロセスは、コストを増加させ、シールに関連する様々な課題につながる、ということである。
結果として、研究が行われてきたシステムは、セラミック衛生陶器にどんな穴も作製する必要なく、センサが衛生陶器に嵌合するのを可能にするであろう。
【０００７】
この課題を排除する目的で、意図されてきたのは、無線信号によって使用を検出することである。そういった研究では、マイクロ波レーダセンサが主として利用されている。文献、中国特許第１０１５５０７２１号によれば、マイクロ波レーダセンサは、小便器に位置決めされ、小便器への流れは、上記センサによって検出され、洗浄は、いったん流れが終了すると、自動的に実行される。同様のシステムは、文献、日本国特許出願公開第２００８２４９６７１号にも開示されている。文献、日本国特許出願公開第２００２２８５６０９号によれば、マイクロ波レーダセンサ受信機及び送信機は、小便器の下部ゾーンに位置決めされ、流れは、流れが受信機及び送信機間で存在している間、検出され、斯くして、小便器が使用されていると推論される。上記システムでは、可能でないのは、無線信号を使用することによって、小便器内の水の汚染度を検出することである。
【０００８】
本発明の場合、自動洗浄システム及び方法が説明されており、可能であるのは、セラミック衛生陶器内又はセラミック衛生陶器を廃水設備に接続する接続部片内の液体の汚染度を検出すること、そして、その上、無線信号の使用によって廃液内の異物を検出すること、であり、洗浄は、汚染度に応じて適切な量の液体で自動的に実行され、可能であるのは、同じことを達成することであり、セラミック衛生陶器に又はセラミック衛生陶器と廃水設備との間の接続を提供する接続部片にどんな穴も作製せず、斯くして、シールに関連して出現するどんな課題も伴わず、製造中に穴をドリル形成又はスロットを形成するようなプロセスを必要とせず、コストは、斯くして標準のセラミック衛生陶器と比較して増加しない。
【発明の概要】
【発明が解決しようとする課題】
【０００９】
本発明の目的は、セラミック衛生陶器の使用に続いて、洗浄プロセスが自動的に実行されることを可能にする自動洗浄システム及び方法を開発することである。
【課題を解決するための手段】
【００１０】
本発明の別の目的は、自動洗浄システム及び方法を開発することであり、セラミック衛生陶器内、及び／又は、セラミック衛生陶器を廃水設備に接続する接続部片内の液体の汚染度は、上記セラミック衛生陶器の使用後の無線信号によって検出され、斯くして、洗浄は、必要な量の液体で自動的に実行される。
【００１１】
本発明の別の目的は、自動洗浄システム及び方法を開発することであり、液体の汚染度は、セラミック衛生陶器内、及び／又は、セラミック衛生陶器を廃水設備に接続する接続部片内の液体に接触しないセンサによって検出される。
【００１２】
本発明の別の目的は、自動洗浄システム及び方法を開発することであり、センサは、セラミック衛生陶器に、及び／又は、セラミック衛生陶器を廃水設備に接続する接続部片に、固定することができ、製造中に、セラミック衛生陶器に、及び／又は、セラミック衛生陶器を廃水設備に接続する接続部片に、穴を作製又はスロットを形成する必要がない。
【００１３】
本発明の別の目的は、自動洗浄システム及び方法を開発することであり、既存のセラミック衛生陶器で使用することができ、既存のものの何らの変更や修正の必要性がない。
【００１４】
本発明の別の目的は、自動洗浄システム及び方法を開発することであり、液体の汚染度は、検出され、洗浄は、毎回汚染度に応じて異なった量の液体で、換言すると、毎回洗浄に必要な量の液体だけで、実行され、斯くして、不要な液体の消費は、防止される。
【図面の簡単な説明】
【００１５】
【図１】セラミック衛生陶器の側面断面図である。
【図２】セラミック衛生陶器の底面図である。
【図３】セラミック衛生陶器の前面断面図である。
【図４】セラミック衛生陶器の角度付けされた後面図である。
【図５】セラミック衛生陶器の角度付けされた底面図である。
【図６】セラミック衛生陶器の角度付けされた側面図である。
【発明を実施するための形態】
【００１６】
本発明は、自動洗浄システム及び方法に関し、セラミック衛生陶器（１）の使用に続いて、汚染度が検出されること、及び、汚染度に応じて洗浄が自動的に実行されること、を可能にする。より詳細には、本発明は、自動洗浄システム及び方法に関し、可能であるのは、セラミック衛生陶器（１）内、及び／又は、セラミック衛生陶器（１）を廃水設備に接続する接続部片内の液体の汚染度を検出すること、そして、その上、無線信号の使用によって液体内の異物を検出すること、であり、洗浄は、検出された汚染度に応じて、必要な量の液体で自動的に実行される。
【００１７】
バスルーム、トイレ、キッチンのようなエリアで使用された液体は、セラミック衛生陶器（１）の、廃水設備との接続のおかげで、廃水設備に搬送され、システムから除去される。殆どの場合、エルボ構造（２）は、廃水設備の悪臭が環境に浸透するのを防ぐ目的で採用される。幾らかの量の液体は、エルボ構造（２）内に常に存在し、上記液体は、廃水設備及び環境間のバリアを形成し、それによって、悪臭の拡散を防ぐ。セラミック衛生陶器（１）の使用に続いて、廃水設備へのエルボ構造（２）内の汚染水及び固形物の移動は、幾らかの量の液体を用いて提供される。所望の衛生状態を達成する目的で、必要であるのは、エルボ構造内の液体の汚染度に応じて異なった量の液体での洗浄を実現することである。十分な量の水が使用されない場合、洗浄は、完全な様式で行われることがない、換言すると、汚染液体又は固形物は、エルボ構造（２）内に残り、他方、必要以上の量の液体の使用は、不所望の液体消費をもたらす。
【００１８】
本発明の場合、自動洗浄システム及び方法は、そういった不所望の状況を排除する目的で開発されており、エルボ構造（２）内の液体の汚染度は、検出され、洗浄は、汚染度に応じて異なった量の液体で実行される。エルボ構造（２）内の液体の汚染度を検出する目的で、少なくとも１つの汚染検出部材（３）は、本発明に係るシステムにおいて利用される。汚染検出部材（３）は、受信機又は送信機或いはトランシーバである。汚染検出部材（３）、換言すると、送信機又はトランシーバ、によって送られる無線信号は、エルボ構造（２）内に存在する液体を通過して、同じ汚染検出部材（３）、換言すると、同じトランシーバ又は受信機、に到達する、或いは、異なった汚染検出部材（３）、換言すると、異なったトランシーバ又は受信機、に到達する。無線信号の変動に応じて、エルボ構造（２）内の液体の汚染度は、決定される。
【００１９】
使用される汚染検出部材（３）の数及び位置は、使用者の好みや必要性に応じて変わることがある。汚染検出部材（３）は、エルボ構造（２）内の液体と同じレベルに、好ましくは、エルボ構造（２）の外壁に面する様式で位置決めされる。単一の汚染検出部材（３）を使用することが好ましい実施形態では、送信機及び受信機或いはトランシーバによって送られる信号は、エルボ構造（２）の外壁を通過し、上記エルボ構造（２）内の汚染液体に到達する。液体の電磁特性は、上記液体の汚染度に応じた変化を示し、反射される信号、しかも、同じ受信機及び送信機或いはトランシーバに戻る信号は、液体の電磁特性に応じて異なる。液体の汚染度は、そういった差異に基づいて決定される。
【００２０】
本発明の好適な実施形態では、２つ以上の汚染検出部材（３）は、使用される。再び、これらの汚染検出部材（３）、換言すると、受信機又は送信機或いはトランシーバは、少なくとも１つの受信機又は送信機或いはトランシーバが少なくとも１つの他の受信機又は送信機或いはトランシーバに面するであろうように、エルボ構造（２）の外壁の周囲に位置決めされる。この実施形態によれば、送信機又はトランシーバによって送られる信号は、エルボ構造（２）及びエルボ構造（２）内の液体を通過し、最初の送信機又はトランシーバの反対側に位置決めされる別のトランシーバ又は受信機によって受信される。送信機又はトランシーバによって送信される信号と、受信機又はトランシーバによって受信される信号と、の差異に応じて、エルボ構造（２）内の液体の汚染度は、決定される。
【００２１】
必要性、好み及び使用エリアに応じて、汚染検出部材（３）は、セラミック衛生陶器（１）の長辺に平行な方向に、及び／又は、セラミック衛生陶器（１）の長辺に垂直な方向に、及び／又は、床から上向きの方向に、信号を送信するように位置決めされることがある。
【００２２】
汚染検出部材（３）は、汚染検出部材接続部（４）によって主処理ユニットに接続されることが好ましい。主処理ユニットは、汚染検出部材（３）が信号を送信するのを可能にし、送信された信号は、別の汚染検出部材（３）によって受信され、又は、反射された信号は、同じ汚染検出部材（３）によって受信される。本発明の好適な実施形態では、汚染検出部材（３）は、１ｋＨｚ〜６ＧＨｚの帯域範囲で動作する。本発明の別の好適な実施形態では、汚染検出部材（３）は、６ＧＨｚ〜１８ＧＨｚの帯域範囲で動作する。本発明の別の好適な実施形態では、汚染検出部材（３）は、１８ＧＨｚ〜４０ＧＨｚの帯域範囲で動作する。本発明の別の好適な実施形態では、汚染検出部材（３）は、４０ＧＨｚ〜１００ＧＨｚの帯域範囲で動作する。受信された信号は、振幅及び位相として記録されることが好ましく、上記記録された振幅及び位相は、清浄液体がエルボ構造（２）内に存在する場合に、液体の汚染度を決定する目的で、測定される振幅及び位相と比較される。汚染度に応じて必要な量の液体で洗浄を実行する目的で、洗浄システムは、主処理ユニットによってトリガされ、洗浄プロセスは、斯くして実行される。
【００２３】
セラミック衛生陶器（１）は、シンク、小便器、トルコ式トイレ及び便器であることがあるが、それに限定されず、任意のセラミック衛生陶器（１）の形態であることがある。
【００２４】
特に、上記セラミック衛生陶器（１）が便器又はトルコ式トイレである場合に、トイレが使用されている間の自動洗浄プロセスの実現は、防止の必要がある不所望の状況である。この目的のために、使用者センサは、利用される。上記センサは、セラミック衛生陶器（１）が現在使用中であること又は使用が終了したことを検出し、それぞれの情報を主処理ユニットに送信する。この情報に基づいて、自動洗浄プロセスは、使用が終了したという情報が主処理ユニットに送信されるまでは、エルボ構造（２）内の液体の汚染が検出されても、実行されない。洗浄は、事前定義された期間中は、使用が終了したという情報がセンサによって送信された後でも、実行されないことが好ましい。換言すると、洗浄は、或る遅れをもって実行され、それによって、使用者がセラミック衛生陶器（１）から離れたことが確認される。
【００２５】
上記センサは、セラミック衛生陶器（１）に、或いは、セラミック衛生陶器（１）の使用中に接触する便座カバーのような手段に、配置されるべき振動センサである場合がある。セラミック衛生陶器（１）に、或いは、使用者を検出するためにセラミック衛生陶器（１）が存在する環境内の任意の地点に、配置されるべき近接センサ又は任意の光センサ並びに音センサ。
【００２６】
本発明に係る自動洗浄方法は、次のプロセスステップを含む。
・  無線信号は、或る間隔で、汚染検出部材（３）によって、エルボ構造（２）内の液体に、送信され、上記送信された信号は、用途に応じて、同じ汚染検出部材（３）又は別の汚染検出部材（３）によって、受信される。
・  受信された信号は、主処理ユニットで画定された参照値と比較され、エルボ構造（２）内の液体の汚染度は、上記比較の結果として決定される。
・  洗浄は、汚染度に応じて事前定義された量の液体で実行される。
【００２７】
本発明に係る自動洗浄システム及び方法では、自動較正は、検出された汚染度の精度を高める目的で、各使用前に実行される。汚染される液体を考慮するための閾値は、主処理ユニットで画定される。汚染検出部材（３）で検出される汚染度がこの閾値を超える場合、洗浄は、セラミック衛生陶器（１）が使用されたか否かに関係なく自動的に実行される。本発明の好適な実施形態によれば、セラミック衛生陶器（１）に近づく使用者は、センサによって補助的に検出され、使用前の液体の汚染度は、参照として記録及び取得される。使用後の汚染度は、使用前に記録された参照値と比較され、この比較の結果として、エルボ構造（２）内の液体が使用のせいで汚染された程度は、評価され、洗浄プロセスは、それに応じて実行される。換言すると、洗浄プロセスは、セラミック衛生陶器（１）を清浄化する目的のため及び他の同様の理由のための源泉液体の部分的な汚染という理由で、使用される化学物質のエルボ構造（２）内の液体内への溶解の結果起こる液体の電磁構造の変化に起因して連続的に繰り返されることが防止される。
【００２８】
本発明に係る好適な実施形態では、最大回数の洗浄試行は、エルボ構造（２）内の液体が何らかの異物で汚染され、上記汚染が洗浄システムによって除去することができない場合に、システムによって実行される連続的な洗浄試行の結果起こる水の不必要な消費を防ぐ目的で、システムにおいて画定される。洗浄試行は、エルボ構造（２）内の液体を清浄化する目的で、最大で上記最大回数だけ実行され、次いで、システムは、スタンバイモードに切り替わり、無効になる。本発明の好適な実施形態では、無効にされたシステムは、手動でシステムがトリガされると、再度活動化される
【００２９】
本発明に係る方法の別の好適な実施形態は、臭気抑制機能を含む。セラミック衛生陶器（１）が長い期間中、使用されない場合、エルボ構造（２）内の液体は、経時的に蒸発するであろうし、廃水設備に起因する悪臭は、液体が或るレベルより下落すると、環境に浸透するであろう。そういった状況を回避する目的で、洗浄システムは、エルボ構造（２）内の液体が事前定義されたレベルより下落する場合に、活動化され、それによって、エルボ構造（２）が液体で満たされるのを可能にし、上記液体がそれのバリア機能を実行するのを可能にする。液体面は、汚染検出部材（３）によって検出されることがある。エルボ構造（２）内の液体の量は、受信機又はトランシーバによって受信された信号を参照値と比較することによって決定されることがある。
【００３０】
上記方法の精度を改善する別の手順は、設置後に実行される較正である。汚染検出部材（３）によって検出される汚染値は、使用されているセラミック衛生陶器（１）のタイプ、洗浄機構のタイプ、及び、洗浄目的のために採用された液体のタイプ、に応じて異なることがある。結果として、システムは、より正確な汚染度の検出を達成するために、設置後に校正される。上記較正中、洗浄システムは、エルボ構造（２）内の液体が清浄化されるのを可能にするために、手動で活動化される。いったん液体が清浄であることが確認されると、液体が清浄であるという情報は、システムで画定される。次いで、セラミック衛生陶器（１）は、使用され、エルボ構造（２）内の液体は、使用後に汚染されていると画定される。斯くして、システムは、これらの値を後続の使用のための参照として解釈し、上記システムは、現在の値をこれらの参照値と比較することによって、洗浄システムを活動化させるか否かの決定を行う。使用者の尿と糞便の化学構造は、同じく異なっており、エルボ構造（２）内の液体の電磁特性が様々な程度で変化するのを引き起こす。上記方法によれば、エルボ構造（２）内の液体の電磁特性は、記録される。参照値は、上記記録された値の平均を採ることによって、システムによって自動的に設定される。斯くして、可能にされるのは、エルボ構造（２）内の液体の汚染度の検出精度を高めること、及び、正しい量の液体での洗浄を行うこと、である。
【００３１】
本発明に係る自動洗浄システム及び方法のために、使用後の汚染は、汚染液体との物理的接触を起こすことなく、無線信号によって検出され、洗浄は、既存のセラミック衛生陶器（１）の構造にどんな変化も加える必要なく、必要な量の水で自動的に実行され、このようにして、セラミック衛生陶器（１）における液体の節約と効率的な洗浄は、セラミック衛生陶器（１）の製造プロセスを複雑化させることなく、また、コストを増加させることなく、達成される。
【符号の説明】
【００３２】
１  セラミック衛生陶器
２  エルボ構造
３  汚染検出部材
４  汚染検出部材接続部
【図１】
2021529273.tif 000003
【図２】
2021529273.tif 000004
【図３】
2021529273.tif 000005
【図４】
2021529273.tif 000006
【図５】
2021529273.tif 000007
【図６】
2021529273.tif 000008
【国際調査報告】
2021529273.tif 000009
2021529273.tif 000010